(57)【要約】【課題】インペラ２１の回転動作の安定性を十分に確保した上で、チップクリアランスからの漏れ流れを低減して、ギアド圧縮機１の効率を高いレベルまで向上させること。【解決手段】ディスク２５の先端側の中心部に第１磁石４３が設けられ、第１磁石４３の一方の極が軸方向の一方側を指向しかつ第１磁石４３の他方の極が軸方向の他方側を指向してあって、インペラハウジング３１内におけるインペラ２１の軸方向の一方側に第２磁石４７が設けられ、第２磁石４７の一方の極が第１磁石４３の一方の極側を指向していること。【選択図】図１
2014125946.tif 000002
【特許請求の範囲】
【請求項１】
遠心力を利用してガスを圧縮したり又はガスの圧力エネルギーを利用して回転力を発生させたりする回転機械において、
ベースハウジングと、
前記ベースハウジング内に回転可能に設けられ、一端部が前記ベースハウジングから突出した回転軸と、
前記回転軸の一端部に一体的かつ同心状に設けられ、前記回転軸の軸方向の遊びが許容され、前記回転軸と同心状に位置しかつハブ面が前記軸方向の一方側から径方向外側へ延びたディスク、及び前記ディスクの前記ハブ面に周方向に等間隔に一体形成された複数のブレードを備えたインペラと、
前記ベースハウジングの前記軸方向の一方側の側部に設けられ、内側に複数の前記ブレードの先端縁を覆うシュラウド壁を有し、ガスを前記インペラ側へ取入れるためのガス取入口が形成され、前記インペラを流通したガスを排出するためのガス排出口が形成され、前記インペラを収容するインペラハウジングと、
前記ディスクの先端側の中心部に設けられ、一方の極が前記軸方向の一方側を指向しかつ他方の極が前記軸方向の他方側を指向した第１磁石と、
前記インペラハウジング内における前記インペラの前記軸方向の一方側に設けられ、一方の極が前記第１磁石の一方の極側を指向した第２磁石と、を具備したことを特徴とする回転機械。
【請求項２】
前記第２磁石が環状を呈しているか、又は前記第２磁石の個数を複数としかつ複数の前記第２磁石が前記インペラの軸心に対して軸対称に配置されていることを特徴とする請求項１に記載の回転機械。
【請求項３】
遠心力を利用してガスを圧縮したり又はガスの圧力エネルギーを利用して回転力を発生させたりする回転機械において、
ベースハウジングと、
前記ベースハウジング内に回転可能に設けられ、一端部が前記ベースハウジングから突出した回転軸と、
前記回転軸の一端部に一体的かつ同心状に設けられ、前記回転軸の軸方向の遊びが許容され、前記回転軸と同心状に位置しかつハブ面が前記軸方向の一方側から径方向外側へ延びたディスク、及び前記ディスクの前記ハブ面に周方向に等間隔に一体形成された複数のブレードを備えたインペラと、
前記ベースハウジングの前記軸方向の一方側の側部に設けられ、内側に複数の前記ブレードの先端縁を覆うシュラウド壁を有し、ガスを前記インペラ側へ取入れるためのガス取入口が形成され、前記インペラを流通したガスを排出するためのガス排出口が形成され、前記インペラを収容するインペラハウジングと、
前記ディスクの背面側の中央部に設けられ、一方の極が前記軸方向の一方側を指向しかつ他方の極が前記軸方向の他方側を指向した第１磁石と、
前記ディスクの背面に対向する位置に設けられ、一方の極が前記第１磁石の他方の極側を指向した第２磁石と、を具備したことを特徴とする回転機械。
【請求項４】
前記第１磁石が環状を呈しているか、又は前記第１磁石の個数を複数としかつ複数の前記第１磁石が前記インペラの軸心に対して軸対称に配置され、
前記第２磁石が環状を呈しているか、又は前記第２磁石の個数を複数としかつ複数の前記第２磁石が前記インペラの軸心に対して軸対称に配置されていることを特徴とする請求項３に記載の回転機械。
【発明の詳細な説明】
【技術分野】
【０００１】
本発明は、遠心力を利用して空気等のガスを圧縮する遠心圧縮機、排気ガス等のガスの圧力エネルギーを利用して回転力を発生させるタービン等の回転機械に関する。
【背景技術】
【０００２】
近年、ギアド圧縮機（遠心圧縮機の一例）について種々の開発がなされており、一般的なギアド圧縮機の構成について簡単に説明すると、次のようになる。
【０００３】
一般的なギアド圧縮機は、ベースハウジングを具備しており、このベースハウジング内には、回転軸（ロータ軸）が回転可能に設けられており、この回転軸の一端部は、ベースハウジングから突出してある。また、ベースハウジング内には、駆動軸が回転可能かつ回転軸に対して平行に設けられており、この駆動軸は、増速歯車機構を介して回転軸に連動連結してある。更に、ベースハウジングの外側の適宜位置には、駆動軸を回転させる回転モータが設けられている。
【０００４】
回転軸の一端部には、インペラが一体的かつ同心状に設けられており、このインペラは、回転軸の軸方向の遊び（微動）が許容されている。また、インペラは、回転軸と同心状に位置しかつハブ面が前記軸方向の一方側から径方向外側へ延びたディスクと、このディスクのハブ面に周方向に等間隔に一体形成された複数のブレードとを備えている。
【０００５】
ベースハウジングの前記軸方向の一方側の側部には、インペラを収容するインペラハウジングが設けられており、このインペラハウジングは、内側に、複数のブレードの先端縁（外縁）を覆うシュラウド壁を有している。また、インペラハウジングにおけるインペラの入口側には、空気等のガスをインペラ側へ取入れるためのガス取入口が形成されている。そして、インペラハウジング内におけるインペラの出口側には、圧縮されたガスを昇圧する環状のディフューザ流路が形成されており、インペラハウジングの内部には、渦巻き状のスクロール流路がインペラを囲むように形成されており、このスクロール流路は、ディフューザ流路に連通してある。更に、インペラハウジングにおけるガス取入口に離隔した箇所には、インペラを流通して圧縮されたガスを排出するためのガス排出口が形成されており、このガス排出口は、スクロール流路に連通してある。
【０００６】
従って、回転モータの駆動により駆動軸を回転させ、増速歯車機構を介して回転軸を増速回転させることにより、インペラを回転軸と一体的に増速回転させる。これにより、ガス取入口からガスをインペラ側へ取り入れて、遠心力を利用して圧縮することができ、インペラを流通して圧縮されたガスをディフューザ流路及びスクロール流路を経由してガス排出口から排出することができる。
【０００７】
なお、本発明に関連する先行技術として特許文献１及び特許文献２に示すものがある。
【先行技術文献】
【特許文献】
【０００８】
【特許文献１】特開２００９−１７４６９２号公報
【特許文献２】特開２００８−１３３７４６号公報
【発明の概要】
【発明が解決しようとする課題】
【０００９】
ところで、ギアド圧縮機の運転中、例えばガスの流量の減少によってインペラに前記軸方向の一方側の空力的な推力が働くと、インペラがインペラハウジングのシュラウド壁側（前記軸方向の一方側）へ僅かに移動（微動）することになる。そのため、ブレードの先端縁とインペラハウジングのシュラウド壁との間のチップクリアランスの大きさをインペラの前記軸方向の遊び量（微動量）よりも大きく設定して、ブレードとインペラハウジングのシュラウド壁との干渉を抑えて、インペラの回転動作の安定性を十分に確保する必要がある。一方、前記チップクリアランスの大きさをインペラの前記軸方向の遊び量よりも大きく設定すると、前記チップクリアランスを経由した漏れ流れが増大して、ギアド圧縮機の効率（圧縮機効率）の低下を招くことになる。つまり、インペラの回転動作の安定性を十分に確保した上で、ギアド圧縮機の効率を高いレベルまで向上させることは困難であるという問題がある。
【００１０】
なお、前述の問題は、過給機用遠心圧縮機等のギアド圧縮機以外の遠心圧縮機、及び過給機用タービン等の遠心圧縮機以外の回転機械についても同様に生じるものである。
【００１１】
そこで、本発明は、前述の問題を解決することができる、新規な構成の回転機械を提供することを目的とする。
【課題を解決するための手段】
【００１２】
本発明の第１の特徴は、遠心力を利用してガスを圧縮したり又はガスの圧力エネルギーを利用して回転力（回転トルク）を発生させたりする回転機械において、ベースハウジングと、前記ベースハウジング内に回転可能に設けられ、一端部が前記ベースハウジングから突出した回転軸（ロータ軸）と、前記回転軸の一端部に一体的かつ同心状に設けられ、前記回転軸の軸方向の遊び（微動）が許容され、前記回転軸と同心状に位置しかつハブ面が前記軸方向の一方側から径方向外側へ延びたディスク、及び前記ディスクの前記ハブ面に周方向に等間隔に一体形成された複数のブレードを備えたインペラと、前記ベースハウジングの前記軸方向の一方側の側部に設けられ、内側に複数の前記ブレードの先端縁を覆うシュラウド壁を有し、ガスを前記インペラ側へ取入れるためのガス取入口が形成され、前記インペラを流通したガスを排出するためのガス排出口が形成され、前記インペラを収容するインペラハウジングと、前記ディスクの先端側（前記軸方向の一方側）の中心部に設けられ、一方の極（Ｎ極又はＳ極）が前記軸方向の一方側を指向しかつ他方の極（Ｓ極又はＮ極）が前記軸方向の他方側を指向した第１磁石と、前記インペラハウジング内における前記インペラの前記軸方向の一方側に設けられ、一方の極が前記第１磁石の一方の極側を指向した第２磁石と、を具備したことを要旨とする。
【００１３】
なお、本願の明細書及び特許請求の範囲において、「設けられ」とは、直接的に設けられたことの他に、別部材を介して間接的に設けられたことを含む意である。また、「内側に複数の前記ブレードの先端縁を覆うシュラウド壁を有し」とは、前記インペラハウジングの一部にシュラウド壁を有している場合の他に、前記インペラハウジング内に設けられた別部材の内側にシュラウド壁を有している場合を含む意である。更に、「前記ディスクの先端側の中心部」とは、前記ディスクの中心部に貫通形成された挿通穴に挿通した前記回転軸の一端側の先端を含む意である。
【００１４】
第１の特徴によると、前記インペラを回転させることにより、前記ガス取入口から前記インペラ側へガスを取り入れて、遠心力を利用して圧縮することができ、前記インペラを流通して圧縮されたガスを前記ガス排出口から排出することができる。又は、前記ガス取入口から取入れたガスを前記インペラの入口側から出口側へ流通させることにより、ガスの圧力エネルギーを利用して回転力を発生させることができ、仕事をしたガスを前記ガス排出口から排出することができる（第１の特徴による通常の作用）。
【００１５】
第１の特徴による通常の作用を奏する他に、前記第１磁石と前記第２磁石による反発力によって前記インペラを前記軸方向の他方側へ付勢することができる。これにより、前記ブレードの先端縁と前記インペラハウジングの前記シュラウド壁との間のチップクリアランスの大きさを前記インペラの前記軸方向の遊び量（微動量）よりも大きく設定しなくても、前記ブレードと前記インペラハウジングの前記シュラウド壁との干渉を抑えることができる。換言すれば、前記ブレードと前記インペラハウジングの前記シュラウド壁との干渉を抑えつつ、前記ブレードの先端縁と前記インペラハウジングの前記シュラウド壁との間のチップクリアランスの大きさを前記インペラの前記軸方向の遊び量（微動量）よりも小さく設定することができる（第１の特徴による特有の作用）。
【００１６】
本発明の第２の特徴は、遠心力を利用してガスを圧縮したり又はガスの圧力エネルギーを利用して回転力を発生させたりする回転機械において、ベースハウジングと、前記ベースハウジング内に回転可能に設けられ、一端部が前記ベースハウジングから突出した回転軸（ロータ軸）と、前記回転軸の一端部に一体的かつ同心状に設けられ、前記回転軸の軸方向の遊び（微動）が許容され、前記回転軸と同心状に位置しかつハブ面が前記軸方向の一方側から径方向外側へ延びたディスク、及び前記ディスクの前記ハブ面に周方向に等間隔に一体形成された複数のブレードを備えたインペラと、前記ベースハウジングの前記軸方向の一方側の側部に設けられ、内側に複数の前記ブレードの先端縁を覆うシュラウド壁を有し、ガスを前記インペラ側へ取入れるためのガス取入口が形成され、前記インペラを流通したガスを排出するためのガス排出口が形成され、前記インペラを収容するインペラハウジングと、前記ディスクの背面側（前記軸方向の他方側）の中央部（中心部を含む）に設けられ、一方の極（Ｎ極又はＳ極）が前記軸方向の一方側を指向しかつ他方の極（Ｓ極又はＮ極）が前記軸方向の他方側を指向した第１磁石と、前記ディスクの背面に対向する位置（対峙する位置）に設けられ、一方の極が前記第１磁石の他方の極側を指向した第２磁石と、を具備したことを要旨とする。
【００１７】
第２の特徴によると、前述の第１の特徴による通常の作用と同様の作用を奏する他に、前記第１磁石と前記第２磁石による吸引力によって前記インペラを前記軸方向の他方側へ付勢することができる。これにより、前記ブレードの先端縁と前記インペラハウジングの前記シュラウド壁との間のチップクリアランスの大きさを前記インペラの前記軸方向の遊び量（微動量）よりも大きく設定しなくても、前記ブレードと前記インペラハウジングの前記シュラウド壁との干渉を抑えることができる。換言すれば、前記ブレードと前記インペラハウジングの前記シュラウド壁との干渉を抑えつつ、前記ブレードの先端縁と前記インペラハウジングの前記シュラウド壁との間のチップクリアランスの大きさを前記インペラの前記軸方向の遊び量よりも小さく設定することができる（第２の特徴による特有の作用）。
【発明の効果】
【００１８】
本発明によれば、前記ブレードと前記インペラハウジングの前記シュラウド壁との干渉を抑えつつ、前記ブレードの先端縁と前記インペラハウジングの前記シュラウド壁との間のチップクリアランスの大きさを前記インペラの前記軸方向の遊び量よりも小さく設定できるため、前記インペラの回転動作の安定性を十分に確保した上で、前記チップクリアランスからの漏れ流れを低減して、前記回転機械の効率（圧縮機効率又はタービン効率）を高いレベルまで向上させることができる。
【図面の簡単な説明】
【００１９】
【図１】図１は、図２における矢視部Iの拡大図である。
【図２】図２は、本発明の第１実施形態に係るギアド圧縮機の側断面図である。
【図３】図３（ａ）（ｂ）は、図１におけるIII-III線に沿った図である。
【図４】図４は、本発明の第２実施形態に係るギアド圧縮機の側断面図である。
【図５】図５（ａ）（ｂ）は、図４におけるV-V線に沿った図である。
【図６】図６（ａ）（ｂ）は、図４におけるVI-VI線に沿った図である。
【発明を実施するための形態】
【００２０】
（第１実施形態）
本発明の第１実施形態について図１から図３（ａ）（ｂ）を参照して説明する。なお、図中において、「Ｆ」は、前方向、「Ｒ」は、後方向をそれぞれ指している。
【００２１】
図２に示すように、本発明の第１実施形態に係るギアド圧縮機１は、遠心力を利用して空気等のガスを圧縮する遠心圧縮機の１つである。そして、ギアド圧縮機１の具体的な構成は、以下のようになる。
【００２２】
ギアド圧縮機１は、ベースハウジング３を具備しており、このベースハウジング３内には、回転軸（ロータ軸）５がベアリング７を介して回転可能に設けられており、この回転軸５の前端部（一端部）は、ベースハウジング３から前方向（回転軸５の軸方向の一方側）へ突出してある。また、ベースハウジング３内には、駆動軸９がベアリング１１を介して回転可能かつ回転軸５に対して平行に設けられており、この駆動軸９の後端部は、ベースハウジング３から後方向（前記軸方向の他方側）へ突出してある。
【００２３】
駆動軸９は、増速歯車機構１３を介して回転軸５に連動連結してあり、この増速歯車機構１３は、駆動軸９に一体的に設けられた主動歯車１５と、回転軸５に一体的に設けられかつ主動歯車１５に噛合した従動ピニオン１７とからなっている。また、ベースハウジング３の外側の適宜位置には、駆動軸９を回転させる回転モータ１９が設けられており、この回転モータ１９の出力軸（図示省略）は、カップリング（図示省略）を介して駆動軸９に連動連結してある。
【００２４】
図１及び図２に示すように、回転軸５の前端部には、インペラ２１が固定ナット２３を介して一体的かつ同心状に設けられており、このインペラ２１は、前後方向（前記軸方向）の遊び（微動）が許容されている。また、インペラ２１は、回転軸５と同心状に位置しかつハブ面２５ｈが前方向（前記軸方向の一方側）から径方向外側へ延びたディスク２５を備えており、このディスク２５の中心部には、回転軸５の前端部を挿通させるための挿通穴２７が貫通形成されている。更に、ディスク２５のハブ面２５ｈには、複数のブレード２９が周方向に等間隔に一体形成されている。
【００２５】
ベースハウジング３の前側部（前記軸方向の一方側の側部）には、インペラ２１を収容するインペラハウジング３１が設けられており、このインペラハウジング３１は、内側に、複数のブレード２９の先端縁（外縁）２９ｔを覆うシュラウド壁３１ｓを有している。なお、インペラハウジング３１がベースハウジング３と異なる別部材により構成されているが、インペラハウジング３１の一部又は全部がベースハウジング３と同じ部材により構成されても構わない。
【００２６】
インペラハウジング３１におけるインペラ２１の入口側には、空気等のガスをインペラ２１側へ取入れるためのガス取入口３３が形成されている。また、インペラハウジング３１内におけるインペラ２１の出口側には、圧縮されたガスを昇圧する環状のディフューザ流路３５が形成されており、インペラハウジング３１の内部には、渦巻き状のスクロール流路３７がインペラ２１を囲むように形成されてあって、このスクロール流路３７は、ディフューザ流路３５に連通してある。更に、インペラハウジング３１におけるガス取入口３３に離隔した箇所には、インペラ２１を流通して圧縮されたガスを排出するためのガス排出口３９が形成されており、このガス排出口３９は、スクロール流路３７に連通してある。
【００２７】
なお、インペラハウジング３１におけるディスク２５の背面２５ｂ側（後側）には、インペラハウジング３１からのガスの漏れを抑えるためのパッキン４１が回転軸５を囲むように設けられている。
【００２８】
図１に示すように、回転軸５の前端側の先端、換言すれば、ディスク２５の先端側（前記軸方向の一方側）の中心部には、第１磁石４３が埋設した状態で設けられている。ここで、第１磁石４３の一方の極としてのＮ極は、前方向（前記軸方向の一方側）を指向してあって、第１磁石４３の他方の極としてのＳ極は、後方向（前記軸方向の他方側）を指向してある。
【００２９】
図１及び図３（ａ）に示すように、インペラハウジング３１内におけるインペラ２１の出口側（前記軸方向の一方側）には、環状の取付溝４５が形成されており、この取付溝４５内には、適宜の取付手段によって環状の第２磁石４７が設けられている。ここで、第２磁石４７の一方の極としてのＮ極は、第１磁石４３のＮ極側を指向している。
【００３０】
なお、第１磁石４３のＮ極が前方向を指向しかつ第１磁石４３のＳ極が後方向を指向しかつ第２磁石４７のＮ極が第１磁石４３のＮ極側を指向する代わりに、第１磁石４３のＳ極が前方向を指向しかつ第１磁石４３のＮ極が後方向を指向しかつ第２磁石４７のＳ極が第１磁石４３のＳ極側を指向するようにしても構わない。また、第２磁石４７が環状を呈する代わりに、図３（ｂ）に示すように、第２磁石４７の個数を複数とし、複数の第２磁石４７がインペラ２１の軸心に対して軸対称に配置されるようにしても構わなく、この場合には、取付溝４５内における周方向に隣接する第２磁石４７の間に適宜の取付手段によってスペーサ４９が介在されることになる。
【００３１】
続いて、本発明の第１実施形態に係る作用及び効果について説明する。
【００３２】
回転モータ１９の駆動により駆動軸９を回転させ、増速歯車機構１３を介して回転軸５を増速回転させることにより、インペラ２１を回転軸５と一体的に増速回転させる。これにより、ガス取入口３３からガスをインペラ２１側へ取り入れて、遠心力を利用して圧縮することができ、インペラ２１を流通して圧縮されたガスをディフューザ流路３５及びスクロール流路３７を経由してガス排出口３９から排出することができる（ギアド圧縮機１の通常の作用）。
【００３３】
ギアド圧縮機１の通常の作用を奏する他に、第１磁石４３と第２磁石４７による反発力によってインペラ２１を後方向（前記軸方向の他方側）へ付勢することができる。これにより、ブレード２９の先端縁２９ｔとインペラハウジング３１のシュラウド壁３１ｓとの間のチップクリアランスの大きさをインペラ２１の前後方向（前記軸方向）の遊び量（微動量）よりも大きく設定しなくても、ブレード２９とインペラハウジング３１のシュラウド壁３１ｓとの干渉を抑えることができる。換言すれば、ブレード２９とインペラハウジング３１のシュラウド壁３１ｓとの干渉を抑えつつ、ブレード２９の先端縁２９ｔとインペラハウジング３１のシュラウド壁３１ｓとの間のチップクリアランスの大きさをインペラ２１の前後方向の遊び量よりも小さく設定することができる（ギアド圧縮機１の特有の作用）。
【００３４】
従って、本発明の第１実施形態によれば、インペラ２１の回転動作の安定性を十分に確保した上で、前記チップクリアランスからの漏れ流れを低減して、ギアド圧縮機１の効率（圧縮機効率）を高いレベルまで向上させることができる。
【００３５】
（第２実施形態）
本発明の第２実施形態について図４から図６（ａ）（ｂ）を参照して説明する。なお、図面中において、「Ｆ」は、前方向、「Ｒ」は、後方向をそれぞれ指してある。
【００３６】
図４に示すように、本発明の第２実施形態に係るギアド圧縮機５１は、遠心力を利用して空気等のガスを圧縮する遠心圧縮機の１つであって、本発明の第１実施形態に係るギアド圧縮機１における複数の構成要素のうち、第１磁石４３、取付溝４５、第２磁石４７、及びスペーサ４９を省略する代わりに、次のような構成を有している。なお、ギアド圧縮機５１における複数の構成要素のうち、ギアド圧縮機１における構成要素と対応するものについては、図面中に同一番号を付して説明を省略する。
【００３７】
図４、図５（ａ）、及び図６（ａ）に示すように、ディスク２５の背面２５ｂ側（前記軸方向の他方側）の中央部には、環状の第１取付溝５３が回転軸５を囲むように形成されており、この第１取付溝５３内には、環状の第１磁石５５が設けられている。ここで、第１磁石５５の一方の極としてのＮ極は、前方向（前記軸方向の一方側）を指向してあって、第１磁石５５の他方の極としてのＳ極は、後方向（前記軸方向の他方側）を指向している。
【００３８】
ベースハウジング３におけるディスク２５の背面２５ｂに対向する位置（対峙する位置）には、環状の第２取付溝５７が回転軸５を囲むように形成されており、この第２取付溝５７内には、環状の第２磁石５９が設けられている。ここで、第２磁石５９のＮ極は、第１磁石５５のＳ側を指向している。
【００３９】
なお、第１磁石５５のＮ極が前方向を指向しかつ第１磁石５５のＳ極が後方向を指向しかつ第２磁石５９のＮ極が第１磁石５５のＳ極側を指向する代わりに、第１磁石５５のＳ極が前方向を指向しかつ第１磁石５５のＮ極が後方向を指向しかつ第２磁石５９のＳ極が第１磁石５５のＮ極側を指向するようにしても構わない。また、第１磁石５５が環状を呈する代わりに、図５（ｂ）に示すように、第１磁石５５の個数を複数とし、複数の第１磁石５５がインペラ２１の軸心に対して軸対称に配置されるようにしても構わなく、この場合には、第１取付溝５３内における周方向に隣接する第１磁石５５の間にスペーサ６１が介在されることになる。更に、第２磁石５９が環状を呈する代わりに、図６（ｂ）に示すように、第２磁石５９の個数を複数とし、複数の第２磁石５９がインペラ２１の軸心に対して軸対称に配置されるようにしても構わなく、この場合には、第２取付溝５７内における周方向に隣接する第２磁石５９の間にスペーサ６３が介在されることになる。
【００４０】
続いて、本発明の第２実施形態の作用及び効果について説明する。
【００４１】
前述のギアド圧縮機１の通常の作用と同様の作用を奏する他に、第１磁石５５と第２磁石５９による吸引力によってインペラ２１を後方向（前記軸方向の他方側）へ付勢することができる。これにより、ブレード２９の先端縁２９ｔとインペラハウジング３１のシュラウド壁３１ｓとの間のチップクリアランスの大きさをインペラ２１の前後方向（前記軸方向）の遊び量（微動量）よりも大きく設定しなくても、ブレード２９とインペラハウジング３１のシュラウド壁３１ｓとの干渉を抑えることができる。換言すれば、ブレード２９とインペラハウジング３１のシュラウド壁３１ｓとの干渉を抑えつつ、ブレード２９の先端縁２９ｔとインペラハウジング３１のシュラウド壁３１ｓとの間のチップクリアランスの大きさをインペラ２１の前後方向の遊び量よりも小さく設定することができる（ギアド圧縮機５１の特有の作用）。
【００４２】
従って、本発明の第２実施形態によれば、インペラ２１の回転動作の安定性を十分に確保した上で、前記チップクリアランスからの漏れ流れを低減して、ギアド圧縮機５１の効率（圧縮機効率）を高いレベルまで向上させることができる。
【００４３】
なお、本発明は、前述の実施形態の説明に限るものでなく、例えば、ギアド圧縮機１，５１に適用した技術的思想を過給機用遠心圧縮機等のギアド圧縮機以外の遠心圧縮機、及び過給機用タービン等の遠心圧縮機以外の回転機械について適用する等、その他、種々の態様で実施可能である。また、本発明に包含される権利範囲は、これらの実施形態に限定されないものである。
【符号の説明】
【００４４】
１      ギアド圧縮機
３      ベースハウジング
５      回転軸
９      駆動軸
１３      増速歯車機構
１５      主動歯車
１７      従動ピニオン
１９      回転モータ
２１      インペラ
２５      ディスク
２５ｂ    背面
２５ｈ    ハブ面
２７      挿通穴
２９      ブレード
２９ｔ    先端縁
３１      インペラハウジング
３１ｓ    シュラウド壁
３３      ガス取入口
３５      ディフューザ流路
３７      スクロール流路
３９      ガス排出口
４３      第１磁石
４５      取付溝
４７      第２磁石
５１      ギアド圧縮機
５３      第１取付溝
５５      第１磁石
５７      第２取付溝
５９      第２磁石
【図１】
2014125946.tif 000003
【図２】
2014125946.tif 000004
【図３】
2014125946.tif 000005
【図４】
2014125946.tif 000006
【図５】
2014125946.tif 000007
【図６】
2014125946.tif 000008